(57)【要約】      （修正有）【課題】それぞれが動作制御されるべき複数の表示部を含む表示装置であって、配線が簡素化され、各表示部の設置や表示部同士を関連付けての設置、各表示部の点検、修理、交換等を行い易いやすく、表示部位置の入替えや表示部の削減、追加も簡単、容易に行える表示装置を提供する。【解決手段】表示部１〜４と、表示部動作指示部ＳＰと、メイン制御部ＭＣとを含み、表示部１〜４は電力供給ラインＡ、Ｂを介してメイン制御部ＭＣに並列に接続されるとともに、各表示部に共通の信号ラインＳＬを介して接続され、制御部ＭＣは、指示部ＳＰにおける指示を読み取り、該指示に応じたデジタル信号を信号ラインＳＬを介して各表示部に伝達し、表示部動作電圧を電力供給ラインＡ、Ｂを介して各表示部に印加する。各表示部は入力されたデジタル信号が自己に対するものであるときは該信号に従って発光部１２、２２、３２又は４２の駆動回路８１を開閉する。【選択図】      図１
2006030739.tif 000002
【特許請求の範囲】
【請求項１】
それぞれ動作制御されるべき複数の表示部と、
前記各表示部のオンオフ動作を指示するための表示部動作指示部と、
前記表示部動作指示部に接続されるメイン制御部とを含んでおり、
前記複数の表示部は前記メイン制御部に電力供給ラインを介して並列に接続されるとともに該複数の表示部に共通の信号ラインを介して該メイン制御部に接続されており、
前記メイン制御部は、前記表示部動作指示部における指示を読み取り、該指示に応じた、予め定められたデジタル信号を前記信号ラインへ出力する指示信号出力部と、前記電力供給ラインを介して前記各表示部に表示部動作電圧を印加する表示部動作電圧出力部とを含んでおり、
前記各表示部は、表示動作部と、前記表示部動作電圧出力部から前記電力供給ラインを介して前記表示部動作電圧が印加される、開閉可能の表示動作部駆動回路と、前記指示信号出力部から前記信号ラインを介して出力されるデジタル信号が自己に対するものであるか否かを判別し、自己に対するものであるときは該信号に従って前記表示動作部駆動回路を開閉する判別部とを備えていることを特徴とする表示装置。
【請求項２】
前記複数の表示部のうち少なくとも一つの表示部における前記判別部は、前記表示動作部をオン動作させるために前記表示動作部駆動回路を閉じるにあたり、該表示動作部駆動回路を連続的に閉じるか、間欠的に閉じるかを切り替え設定する閉状態切り替え設定部を含んでいる請求項１記載の表示装置。
【請求項３】
前記表示部動作指示部は、追加されることがある表示部の動作も指示できるものであり、該追加されることがある表示部は、前記表示部とともに前記メイン制御部に電力供給ラインを介して並列に接続可能であるとともに前記共通の信号ラインで接続可能なものであり、前記表示部と同様に表示動作部と、表示動作部駆動回路と、判別部とを備えている請求項１又は２記載の表示装置。
【請求項４】
前記メイン制御部における前記指示信号出力部は、前記表示部動作指示部における指示状態を読み取るとともに該指示状態を示す予め定めたデジタル情報をシリアル非同期通信方式で出力することで前記デジタル信号を出力する請求項１、２又は３記載の表示装置。    
【請求項５】
前記表示部動作指示部は前記各表示部にそれぞれ対応する指示入力部を有しており、前記メイン制御部における前記指示信号出力部は、該複数の指示入力部における指示状態を順次読み取るとともに読み取った各指示状態を示す予め定めたデジタル情報を順次シリアル非同期通信方式で出力することで前記デジタル信号を出力する請求項１、２又は３記載の表示装置。                                                                        
【請求項６】
前記各表示部における判別部は、前記メイン制御部の指示信号出力部から出力されるデジタル信号に応じて予め定められた判別のための情報を求め、該判別情報が該表示部に割り当てられた参照情報と一致すると該信号に従って前記表示動作部駆動回路を開閉する請求項１から５のいずれかに記載の表示装置。
【請求項７】
前記複数の表示部は多段に配列され、該各表示部は前記電力供給ライン及び信号ラインのそれぞれの一部を構成するコネクタを有しており、該多段配列における各隣り合う表示部はそれらのコネクタを相互に分離可能に接続できる請求項１から６のいずれかに記載の表示装置。
【請求項８】
前記表示動作部は通電により発光する１又は２以上の光源を含む発光部を含んでいる請求項１から７のいずれかに記載の表示装置。
【請求項９】
前記各表示部は前記発光部の点灯により所定の色表示を行う表示部であり、各表示部は他の表示部とは異なる色表示を行う請求項８記載の表示装置。
【発明の詳細な説明】
【技術分野】
【０００１】
本発明は各種産業機器、パチンコ機、パチスロ機等の各種娯楽機器などの機器類の動作状態、異常状態等を表示させることや、交通標識、各種催しにおける表示、舞台装置の一部などとしても用いることができる表示装置に関し、特に複数の表示部を有する表示装置に関する。
【背景技術】
【０００２】
従来、表示装置は各種のものが提案され、実用化されてきたが、その中に、複数の表示部を有し、各表示部が指示に従って動作するタイプの表示装置がある。その１例を図５及び図６に示す。
【０００３】
図５、図６に示す表示装置は、五つの表示部ａ〜ｅをベース部材上に多段に積み重ねた表示ユニットを含むものである。表示部ａ〜ｅは発光部ａ〜ｅ及び発光部カバーａ〜ｅからなっている。発光部ａ〜ｅは、それぞれ発光ダイオード等の１又は２以上の光源を有しており、通電により発光する。表示部ａは発光部ａの発光と発光部カバーａの色により赤色表示を行える。同様にして、表示部ｂは青色表示を、表示部ｃは緑色表示を、表示部ｄは黄色表示を、表示部ｅは白色表示を行える。このように積み重ねられた表示部ａ〜ｅは通常、図５に示すようにこれら表示部を貫通し得る長いボルトでもってベース部材に固定される。
【０００４】
発光部ａ〜ｅのそれぞれは電源部に並列に接続されるようになっている。さらに言えば、一本のコモンラインと、発光部ごとの、スイッチａ〜ｅを含むラインａ〜ｅとによって電源部に接続されるようになっている。
なお、スイッチａ〜ｅは図示例では一つの操作部に纏めて配列されている。
【０００５】
スイッチａを閉じると表示部ａが赤色表示を、スイッチｂを閉じると表示部ｂが青色表示を、スイッチｃを閉じると表示部ｃが緑色表示を、スイッチｄを閉じると表示部ｄが黄色表示を、スイッチｅを閉じると表示部ｅが白色表示を行う。
【発明の開示】
【発明が解決しようとする課題】
【０００６】
しかしながら、かかる表示装置によると、各表示部を個々に動作させるためには、少なくともコモンライン１本と各表示部に対応した５本のラインａ〜ｅを必要とする。そのため、図５に示すように、電源部及びスイッチ群を配列した操作部から各表示部へのラインの引きまわし（配線）が煩雑化、複雑化し、ラインの損傷等の事故を招きやすい。特に、ラインａ〜ｅが引き出される操作部が表示ユニットから離れた位置にあるときは、ラインの引きまわしが煩雑化、複雑化するとともにライン切断等の事故を招きやすい。
【０００７】
また、例えば操作部に近い表示部ａを遠い表示部ｅと位置替えしようとすると、ラインａを長いものに交換しなければならず、始めから長いものを採用するときには、配線が益々煩雑、複雑なものになる。いずれにしても、表示部位置を簡単には入替えし難い。
【０００８】
また、図示例の表示装置のように、長いボルトで多段に重ねた表示部をベース部材にとりつけるタイプの表示装置では、修理や表示部の位置替え等の目的でいずれかの表示部を取り外そうとすると、ボルトを取り外し、全体を分解状態としなければならず、かかる表示部のとり外し、再組み立ての作業は手間を要する煩わしいものとなる。複雑なラインの引き回し状態（配線状態）も手伝って一層手間を要する煩わしいものとなる。
【０００９】
さらに、表示部の数を減らしたり、追加するに際しては、ボルトの長さを一々異なるものに変更しなければならない煩わしさがあり、長さの異なる別途ボルトを準備するために費用も要する。
このように、表示部の位置換え、修理、交換、追加、削減等を自在には行い難い。
【００１０】
そこで本発明は、それぞれが動作制御されるべき複数の表示部を含む表示装置であって、配線の点で簡素化され、それだけ各表示部の設置や表示部同士を関連付けての設置、各表示部の点検、修理、交換等を行い易いやすく、また、配線が簡素化されているだけ配線に係る接続不良や配線の損傷等の配線に係るトラブルを低減することができる表示装置を提供することを課題とする。
【００１１】
また本発明は、複数の表示部を多段に配列することができ、多段に配列した場合でも、表示部の点検、修理、交換等のための各表示部の取り出し、その後の再組み立て、さらには表示部位置の入替えや表示部の削減も簡単、容易に行える表示装置を提供することを課題とする。
【００１２】
また本発明は、表示部の追加が簡単、容易に行える表示装置を提供することを課題とする。
【課題を解決するための手段】
【００１３】
本発明は、次の表示装置を提供する。すなわち、
それぞれ動作制御されるべき複数の表示部と、
前記各表示部のオンオフ動作を指示するための表示部動作指示部と、
前記表示部動作指示部に接続されるメイン制御部とを含んでおり、
前記複数の表示部は前記メイン制御部に電力供給ラインを介して並列に接続されるとともに該複数の表示部に共通の信号ラインを介して該メイン制御部に接続されており、
前記メイン制御部は、前記表示部動作指示部における指示を読み取り、該指示に応じた、予め定められたデジタル信号を前記信号ラインへ出力する指示信号出力部と、前記電力供給ラインを介して前記各表示部に表示部動作電圧を印加する表示部動作電圧出力部とを含んでおり、
前記各表示部は、表示動作部と、前記表示部動作電圧出力部から前記電力供給ラインを介して前記表示部動作電圧が印加される、開閉可能の表示動作部駆動回路と、前記指示信号出力部から前記信号ラインを介して出力されるデジタル信号が自己に対するものであるか否かを判別し、自己に対するものであるときは該信号に従って前記表示動作部駆動回路を開閉する判別部とを備えている表示装置である。
【００１４】
この表示装置によると、各表示部の動作の指示は表示部動作指示部において行われる。該指示部においてなされる指示は表示部における表示動作部（例えば発光ダイオード等）のオン動作、オフ動作の指示である。表示部動作指示部による指示は、メイン制御部における指示信号出力部において読み取られ、該指示に応じた、予め定められたデジタル信号に変換されて該出力部から出力される。
【００１５】
メイン制御部の表示部動作電圧出力部から出力される表示部動作電圧は電力供給ラインを介して各表示部の表示動作部駆動回路へ印加される。一方、メイン制御部の指示信号出力部から出力されるデジタル信号は信号ラインを介して各表示部の判別部へ入力される。      
【００１６】
前記指示信号出力部から出力されたデジタル信号が入力された各表示部では、該表示部における判別部が該デジタル信号が自己に対するものか否かを判別し、自己のものであるときは、該信号に応じて表示動作部駆動回路を開閉し、表示動作部に所定の動作をさせる。
ここで「判別部が自己に対するデジタル信号に応じて表示動作部駆動回路を開閉する」とは、表示動作部駆動回路の開操作、閉操作のうち少なくとも一方の操作を、自己に対するデジタル信号に応じて表示動作部に所定の動作をさせるために行うことである。
かかる開閉操作のために、例えば、表示動作部駆動回路として該回路を開閉できるスイッチ回路を含む回路を採用し、判別部は該スイッチ回路により表示動作部駆動回路を開閉できるようにする場合を挙げることができる。
【００１７】
いずれにしても、この表示装置によると、各表示部に対する動作制御のためのデジタル信号は、各表示部に共通の信号ラインを介して該信号ラインから分岐する態様で各表示部の判別部に伝達される。また、各表示部の表示動作部への電力供給は、各表示部をメイン制御部の表示部動作電圧出力部に電力供給ラインを介して並列に接続する態様でなされる。従って、メイン制御部を各表示部に接続するラインは電力供給用のライン２本と各表示部に共通の信号ラインだけで済み、各表示部へのラインの引きまわし（配線）は極めて簡素化され、それだけ各表示部の設置や表示部同士を関連付けての設置、各表示部の点検、修理、交換等を行い易いやすく、また、配線が簡素化されているだけ配線に係る接続不良や配線の損傷等の配線に係るトラブルを低減することができる。
【００１８】
ここで、各表示部の表示部同士を関連付けての設置とは、例えば、複数の表示部を円形、四角形、直列状、湾曲状、多段積み重ね等の所望の配列に設置したり、複数表示部をグループ分けして設置したりすること等を指している。
【００１９】
前記各表示部の動作を指示するための表示部動作指示部としては、表示部のオン動作、オフ動作を指示するための開閉スイッチを含むもの、各種産業用機器、娯楽機器等の動作状態や異常状態をこの表示装置に表示させる場合において、該機器類からその機器状態を示す信号が入力されることで指示を行うもの等、種々のものを採用できる。
なお、表示部動作指示部は前記メイン制御部とともに配置されていてもよく、メイン制御部と一体的に設けられていてもよく、或いはメイン制御部から離れた位置に配置されていてもよい。
【００２０】
前記複数の表示部のうち少なくとも一つの表示部における前記判別部は、前記表示動作部をオン動作させるために前記表示動作部駆動回路を閉じるにあたり、該表示動作部駆動回路を連続的に閉じるか、間欠的に閉じるかを切り替え設定する閉状態切り替え設定部を含んでいてもよい。例えば、該表示動作部が後述するように光源を含む発光部である場合に、表示動作部駆動回路を閉じて該発光部を点灯させる場合、該回路を連続的に閉じて発光部を点灯させ続けるか、該回路を間欠的に閉じて該発光部を点滅させるかを選択できる閉状態切り替え設定部を含んでいてもよい。
【００２１】
前記表示部動作指示部は、追加されることがある表示部の動作も指示できるものであってもよい。換言すれば、表示部動作指示部は、表示部の追加があることを想定したものでもよい。この場合、追加対象の表示部は、既述の表示部とともに前記メイン制御部に電力供給ラインを介して並列に接続可能であるとともに前記共通の信号ラインで接続可能なものであり、且つ、既述の表示部と同様に表示動作部と、表示動作部駆動回路と、判別部とを備えているものである。
かかる表示部の追加は、表示部動作指示部を追加表示部に対応できるものとしておけば、該追加表示部を既述の表示部と並列に接続すれば足りるので、簡単に行える。
【００２２】
前記メイン制御部における前記指示信号出力部としては、例えば、前記表示部動作指示部における指示状態を読み取るとともに該指示状態を示す予め定めたデジタル情報をシリアル非同期通信方式で出力することで前記デジタル信号を出力するものを挙げることができる。
【００２３】
例えば、前記表示部動作指示部を前記各表示部にそれぞれ対応する指示入力部を有するものとし、前記メイン制御部における前記指示信号出力部として、該複数の指示入力部における指示状態を順次読み取るとともに読み取った各指示状態を示す予め定めたデジタル情報を順次シリアル非同期通信方式で出力することで前記デジタル信号を出力するものを採用することができる。
【００２４】
前記各表示部における判別部は、その判別機能の観点からすると、前記メイン制御部における指示信号出力部から出力されるデジタル信号に応じて予め定められた判別のための情報を求め、該判別情報が該表示部に割り当てられた参照情報と一致すると該信号に従って前記表示動作部駆動回路を開閉するものを例示できる。
【００２５】
既述のとおり複数の表示部は様々に配列することができるが、多段に配列する場合（例えば直列的に重ねて多段に配列する場合）、該各表示部は前記電力供給ライン及び信号ラインのそれぞれの一部を構成するコネクタを有するものとし、該多段配列における各隣り合う表示部におけるコネクタは相互に分離可能に接続できるようにしてもよい。このようなコネクタを採用することで、表示部を多段に配列した場合でも、表示部の点検、修理、交換等のための各表示部の取り出し、その後の再組み立て、さらには表示部位置の入替えや表示部の削減も簡単、容易に行える。また、既述のように表示部動作指示部を、追加されることがある表示部の動作も指示できるものとしておけば、表示部の追加も簡単、容易に行える。
【００２６】
前記表示動作部としては、通電により発光する１又は２以上の光源を含む発光部を含むもの、通電により音を発する音発生器を含むもの、発光部と音発生器を含むもの等、種々採用可能である。例えば各表示部の表示動作部を発光部を含むものとする場合、各表示部は発光部の点灯により所定の色表示を行う表示部としてもよい。さらには、各表示部は他の表示部とは異なる色表示を行うものとしてもよい。
【発明の効果】
【００２７】
以上説明したように本発明によると、それぞれが動作制御されるべき複数の表示部を含む表示装置であって、配線の点で簡素化され、それだけ各表示部の設置や表示部同士を関連付けての設置、各表示部の点検、修理、交換等を行い易いやすく、また、配線が簡素化されているだけ配線に係る接触不良や配線の損傷等の配線に係るトラブルを低減することができる表示装置を提供することができる。
【００２８】
また本発明によると、複数の表示部を多段に配列することができ、多段に配列した場合でも、表示部の点検、修理、交換等のための取り出し、その後の再組み立て、さらには表示部位置の入替えや表示部の削減も簡単、容易に行える表示装置を提供することができる。
【００２９】
また本発明によると、表示部の追加も簡単、容易に行える表示装置を提供することができる。
【発明を実施するための最良の形態】
【００３０】
以下本発明に係る表示装置例について図面を参照して説明する。
図１は表示装置の構成を一部断面で概略的に示す図である。図２は図１に示す表示装置の回路構成を概略的に示すブロック図であり、図３は１段目（最下段）及び２段目（下から２段目）の発光部の構成を一部断面で示す図である。図４は表示装置の回路構成の一部を示す図である。
【００３１】
図示例の表示装置は、それには限定されないが、それぞれ動作制御されるべき４個の表示部１〜４と、該各表示部のオンオフ動作を指示するための表示部動作指示部ＳＰと、指示部ＳＰに接続されるメイン制御部ＭＣとを含んでいる。
【００３２】
表示部１〜４はこの順序で多段に積み重ねられ、ベース部材Ｂに立設されている。メイン制御部ＭＣはベース部材Ｂに内蔵されている。図２に示すように表示部1 〜４は一対の電力供給ラインＡ、Ｂを介してメイン制御部ＭＣに並列に接続されいるとともに一本の信号ラインＳＬを介してメイン制御部ＭＣに接続されている。また、指示部ＳＰも制御部ＭＣに接続されている。メイン制御部ＭＣには外部電源ＰＷを接続できるようになっている。なお、外部電源ＰＷに代えて電池を採用してもよい。
【００３３】
表示部１はカバー１１に囲まれた発光部１２等を、表示部２はカバー２１に囲まれた発光部２２等を、表示部３はカバー３１に囲まれた発光部３２等を、表示部４はカバー４１に囲まれた発光部４２等を有している。
カバー１１は赤色、カバー２１は青色、カバー３１は緑色、カバー４１は黄色であり、各カバーは透光性を有し、下端部に雄ねじｍｓを、上端部に雌ねじｆｓを有している。
【００３４】
各発光部は、１段目及び２段目のものを例にとって図３に示すように、基板１０、２０（発光部３２、４２については基板３０、４０）の上面側に光源例としての発光ダイオードＬＥＤを複数個（一部図示省略）立設したものである。基板の下面側には発光ダイオードＬＥＤの、後述する駆動回路等を含む部分１０１、１０２（発光部３２、４２については部分１０３、１０４）が搭載されている。
表示部１〜４のそれぞれは、その表示部における発光ダイオードＬＥＤの点灯によりそのカバーの色の表示を行うことができる。
【００３５】
各表示部においは、基板（１０、２０、３０又は４０）の中央部にコネクタ２００が固定されている。コネクタ２００は基板を貫通しており、基板の上側に突出する部分２０１はコネクタ雌部であり、基板の下側に突出する部分２０２はコネクタ雄部である。
【００３６】
表示部１〜４のそれぞれにおけるコネクタ２００を固定した基板（１０、２０、３０又は４０）及びこれに搭載された発光ダイオードＬＥＤ等の部分を多段に配置し、各上下に隣り合うもの同士において、上側のもののコネクタ雄部２０２を下側のもののコネクタの雌部２０１に差し込み挿入することで、上下に隣り合うコネクタ２００同士を分離可能に接続することができる。
【００３７】
さらに説明すると、各コネクタ２００は３本の導電体ａ、ｂ、ｃを絶縁性樹脂体に保持させたものである。該各導電体は全体として棒状に形成されており、コネクタ雌部２０１に位置する部分はプラグ差し込み可能に雌形に形成されており、コネクタ雄部２０２に位置する部分はプラグ形に形成されて下方へ突出している。上下に隣り合うコネクタ２００、２００同士においては、上側コネクタの導電体ａ、ｂ、ｃの下方へ突出したプラグ部分を下側コネクタの導電体ａ、ｂ、ｃの雌形部分にそれぞれ差し込み挿入できる。
これにより表示部１〜４におけるカバーを除く部分を分離可能に多段に積み重ね接続することができる。
【００３８】
メイン制御部ＭＣにはコネクタＣが立設されており、該コネクタＣは表示部におけるコネクタ２００の導電体ａ、ｂ、ｃのプラグ部分を差し込み挿入できる雌形の導電体部分Ｃａ、Ｃｂ、Ｃｃを有している。従って、１段目の表示部１におけるコネクタ２００はそのコネクタ雄部２０２を、メイン制御部コネクタＣに分離可能に差し込み接続できる。かくして、表示部１〜４のカバーを除く部分はメイン制御部ＭＣに多段に積み重ね配置可能である。
【００３９】
一方、表示部１〜４の各上下に隣り合うカバーは、上側のカバーの雄ねじｍｓを下側のカバーの雌ねじｆｓに螺合させることで互いに分離可能に接続することができ、且つ、それぞれのカバーが対応する発光ダイオードＬＥＤ等を囲む状態で接続することができ、かくして表示部１〜４のカバー１１〜４１を多段に積み重ね接続することができる。
【００４０】
また、１段目の表示部１におけるカバー１１はその雄ねじｍｓをベース部材Ｂに設けた雌ねじ部ＦＳに分離可能に螺合させることができる。
最上段表示部４のカバー４１には蓋体５が分離可能に螺合される。
【００４１】
前記の各コネクタ２００の導電体ａ、ｂは電力供給ラインＡ、Ｂ（図２参照）の一部を構成している。メイン制御部ＭＣにおけるコネクタＣの導電体Ｃａ、Ｃｂ（図３参照）も電力供給ラインＡ、Ｂの一部を構成している。
また、各コネクタ２００の導電体ｃ及びメイン制御部ＭＣにおけるコネクタＣの導電体Ｃｃ（図３参照）はそれぞれ信号ラインＳＬ（図２参照）の一部を構成している。
従って、表示部１〜４をそれらのコネクタ２００でメイン制御部ＭＣのコネクタＣに順次接続していくと、表示部１〜４は図２に示すようにメイン制御部ＭＣに電力供給ラインを介して並列に接続されるとともに各表示部に共通の信号ラインを介して接続された状態となる。
【００４２】
なお、各コネクタ２００の導電体ａ、ｂ、ｃはラインａ１、ｂ１、ｃ１にてそれぞれ前記の駆動回路等を含む部分（１０１、１０２、１０３又は１０４）に接続されている。
【００４３】
表示部１〜４のそれぞれは、このように実質上電力供給ラインを介してメイン制御部ＭＣに並列に接続されるとともに共通の信号ラインを介してメイン制御部ＭＣに接続されるだけであるから、従来のような各表示部に対する複雑な配線は不要となり、各表示部に対する配線が極めて簡素化され、表示部１〜４の多段積み重ね配置を簡潔に容易に行える。また、各表示部に対する配線に係るトラブルも低減する。
【００４４】
また、最上段カバー４１と蓋体５、各隣り合うカバー同士、最下段カバー１１とベース部材Ｂは、ネジ接続を解くことで容易に分離でき、さらに、各隣り合う発光部等を含む部分同士や最下段表示部１の発光部等を含む部分とベース部材Ｂにおけるメイン制御部ＭＣとは、前記のコネクターを分離させることで容易に分離できる。従って、表示部１〜４のぞれぞれの点検、修理、交換等を行い易いやすく、１又は２以上の表示部の削減や削減した表示部の再追加も容易に行える。さらに、必要に応じ、新たな表示部（例えばカバーの色が表示部１〜４とそれとは異なるだけで表示部１〜４と同様構成の表示部）の追加接続も簡単に行える。
【００４５】
次に表示部動作指示部ＳＰ、メイン制御部ＭＣ及び各表示部における回路構成の詳細について図４を参照して説明する。なお、図４は、各表示部の回路構成については表示部１の回路構成に代表させて示している。他の表示部の回路構成も後述するように一部を除いて表示部１と同様である。
【００４６】
図４に示すように、表示部動作指示部ＳＰは本例では、表示部１〜４のそれぞれのオン動作又はオフ動作を指示する開閉スイッチＳＷ１〜ＳＷ４（各表示部に対応する指示入力部の例）を含んでいる。さらに追加されることがある図示省略の表示部のオン動作又はオフ動作を指示する開閉スイッチＳＷ５も含んでいる。これらのスイッチは閉じることで対応する表示部のオン動作を指示でき、開くことで対応する表示部のオフ動作を指示できる。
【００４７】
メイン制御部ＭＣは指示信号出力部７１及び表示部動作電圧出力部７２を含んでいる。  指示信号出力部７１は表示部動作指示部ＳＰにおける前記スイッチによる指示を読み取り、該指示に応じた、予め定められたデジタル信号を信号ラインＳＬ（コネクタＣの導電体Ｃｃ及び各コネクタ２００の導電体ｃ）を介して表示部１〜４のそれぞれへ出力するものである。
表示部動作電圧出力部７２は電力供給ラインＡ、Ｂ（コネクタＣの導電体Ｃａ、Ｃｂ及び各コネクタ２００の導電体ａ、ｂ）を介して表示部１〜４のそれぞれに表示部動作電圧を印加するものである。
【００４８】
さらに説明すると、指示信号出力部７１はマイクロコンピュータＭ１を含んでおり、指示部ＳＰのスイッチＳＷ１〜ＳＷ５のそれぞれは該コンピュータＭ１に接続されている。コンピュータＭ１は、該複数のスイッチによる指示状態を順次読み取るとともに読み取った各指示状態を示す予め定めたデジタル情報（本例では８ビット情報）を順次シリアル非同期通信方式で出力端子ＧＰＯから信号ラインＳＬ（コネクタＣの導電体Ｃｃ及び各コネクタ２００の導電体ｃ）を介して各表示部の後述する判別回路８２へ出力する。
【００４９】
また、表示部動作電圧出力部７２は、全波整流回路７２１を有しており、直流電源、交流電源のいずれでもよい外部電源ＰＷから供給される電圧（本例では２４Ｖ）を整流処理し、電力供給ラインＡ、Ｂ（コネクタＣの導電体Ｃａ、Ｃｂ及び各コネクタ２００の導電体ａ、ｂ）を介して各表示部の後述する表示動作部駆動回路８１に印加する。
【００５０】
表示部動作電圧出力部７２は、さらに、全波整流回路７２１に接続された平滑回路７２２及び定電圧回路７２３も含んでおり、定電圧回路７２３で得られる電圧Ｖｄｄ（本例では５Ｖ）は前記コンピュータＭ１の駆動電圧として用いられる。
【００５１】
一方、各表示部は、図４に表示部１に代表させて示すように、複数の発光ダイオードＬＥＤを含む発光部（図４の例では発光部１２）とその駆動回路８１を含んでおり、さらに、判別回路８２を含んでいる。
【００５２】
駆動回路８１は、メイン制御部ＭＣの電圧出力部７２から電力供給ラインを介して表示部動作電圧が印加されることで、該回路中のスイッチ回路８１１が導通していることを条件として、発光部をオン動作させる。
【００５３】
スイッチ回路８１１はスイッチング素子としてトランジスタＴＲを含むものである。
トランジスタＴＲは後述する判別回路８２を構成しているマイクロコンピュータＭ２の指示により導通又は非導通状態とされる。トランジスタＴＲが導通すると回路８１は閉じられ発光部はオンして発光（オン動作）する。トランジスタＴＲが非導通のときは回路８１が開かれており、発光部は発光しない（オフ動作）。
【００５４】
判別回路８２はマイクロコンピュータＭ２、発光部のオン動作に係る切り替え設定部８２１及びジャンパ部８２２を含んでいる。
コンピュータＭ２は、メイン制御部ＭＣの指示信号出力部７１から送られてくるデジタル信号に対応する８ビット情報を読み取り、各８ビット情報を該情報に応じて予め定められた判別情報に変換し、該判別情報をその表示部に予め割り当てられた参照情報と比較し、それら情報が一致すれば、その一致をもたらした８ビット情報が自己に対するものであると認識して該８ビット情報が意味する発光部オン動作又はオフ動作のためにスイッチ回路８１１のトランジスタＴＲを導通又は非導通状態とする。判別情報及び参照情報については後述する。
【００５５】
切り換え設定部８２１は、発光部オン動作指示のとき、発光部を連続的にオン動作させるのか（発光ダイオードを連続点灯させるのか）、間欠的にオン動作させるのか（発光ダイオードを点滅させるのか）を予め設定するための切り替え設定部であり、これはコンピュータＭ２に接続されている。設定部８２１は手動の開閉スイッチＳＷｘを含んでいる。コンピュータＭ２は、該スイッチが開かれているときは、オン動作指示を確認するとスイッチ回路８１１のトランジスタＴＲを導通状態に維持し、発光部を連続点灯させる。該スイッチが閉じられているときは、オン動作指示を確認すると回路８１１のトランジスタＴＲを導通、非導通の繰り返しとして、発光部を点滅させる。
【００５６】
ジャンパ部８２２は、三つのジャンパＪ１、Ｊ２、Ｊ３を含んでおり、各ジャンパがコンピュータＭ２の所定の端子に接続されている。ジャンパＪ１、Ｊ２、Ｊ３のそれぞれは図示省略の短絡用ピンの挿脱により短絡又は非短絡状態とされ、それが接続されたコンピュータ端子を接地又は非接地状態にする。
【００５７】
かかるジャンパＪ１、Ｊ２、Ｊ３の短絡、非短絡の組み合わせ状態が表示部ごとに定められており、それが前記の参照情報とされている。かかる組み合わせは、本例では以下のとおりである。以下において「○」は短絡を、「×」は非短絡を示す。
J3        J2        J1
表示部１      ×        ×        ○
表示部２      ×        ○        ×
表示部３      ×        ○        ○
表示部４      ○        ×        ×
追加されることがある表示部      ○        ×        ○
【００５８】
そして前記の判別情報は、ジャンパＪ１〜Ｊ３の短絡、非短絡の組み合わせを示す情報であり、前記の各８ビット情報は、発光部のオン動作又はオフ動作を指示する情報であると同時にこの判別情報を導く情報でもある。例えば、８ビット情報が表示部１に対するものであるときは、それがオン動作を指示するものであれ、オフ動作を指示するものであれ、判別情報としてＪ１短絡、Ｊ２及びＪ３非短絡の判別情報が導かれ、これが表示部１に割り当てられた参照情報と一致することで該８ビット情報が自己のものであると認識され、該８ビット情報が示すオン動作指示又はオフ動作指示により表示部１の発光部駆動回路８１が開閉される。
【００５９】
このように判別回路８２はマイクロコンピュータＭ２、切り替え設定部８２１及びジャンパ部８２２を含んでおり、メイン制御部の指示信号出力部７１から出力されるデジタル信号が自己に対するものであるか否かを判別し、自己に対するものであるときは該信号に従って駆動回路８１を開閉する。
なお、各表示部には、コンピュータＭ２のための定電圧（本例では５Ｖ）取り出し回路８３も含まれている。
【００６０】
以上説明した表示装置によると、表示部１〜４或いはさらに追加されることがある表示部のそれぞれの動作の指示は表示部動作指示部ＳＰの表示部１に対応するスイッチＳＷ１、表示部２に対応するスイッチＳＷ２、表示部３に対応するスイッチＳＷ３、表示部４に対応するスイッチＳＷ４、追加されることがある表示部に対応するスイッチＳＷ５の開閉によりなされる。
【００６１】
表示部動作指示部ＳＰによる指示は、メイン制御部ＭＣにおける指示信号出力部７１において読み取られ、該指示に応じた、予め定められた８ビットのデジタル信号に変換され、該デジタル信号がシリアル非同期通信方式にて各表示部の判別回路８２のコンピュータＭ２に入力される。
【００６２】
コンピュータＭ２は、指示信号出力部７１からのデジタル信号に対応する８ビット情報を読み取り、各８ビット情報から該情報に応じて予め定められた判別情報を導き、該判別情報をその表示部に予め割り当てられた参照情報と比較し、それら情報が一致すれば、その一致をもたらした８ビット情報が自己に対するものであると認識して該８ビット情報が意味する発光部オン動作又はオフ動作のために駆動回路８１中のスイッチ回路８１１のトランジスタＴＲを導通又は非導通状態とし、発光部をオン動作（連続点灯又は点滅点灯）又はオフ動作（消灯）させる。
【００６３】
この表示装置によると、表示部動作制御のための信号は各表示部に対し共通の信号ラインＳＬを介して各表示部に伝達され、表示部動作電圧は電圧出力部７２から２本の電力供給ラインを介して各表示部に印加される。従って、メイン制御部ＭＣを各表示部に接続するラインは電力供給用のライン２本と共通の信号ラインだけで済み、各表示部へのラインの引きまわし（配線）は極めて簡素化され、それだけ各表示部の設置や表示部同士を関連付けての設置、各表示部の点検、修理、交換等を行い易いやすく、また、配線が簡素化されているだけ配線に係る接続不良や配線の損傷等の配線に係るトラブルを低減することができる。
また、表示部の位置替え、削除、削除後の再追加、新たな表示部の追加も容易に行える。                                                                              
【産業上の利用可能性】
【００６４】
本発明にかかる表示装置は、各種産業機器、パチンコ機、パチスロ機等の各種娯楽機器などの機器類の動作状態、異常状態等を表示させることに利用でき、また、交通標識、各種催しにおける表示、舞台装置の一部などとしても用いることができる。
【図面の簡単な説明】
【００６５】
【図１】本発明に係る表示装置の１例の構成を一部断面で概略的に示す図である。
【図２】図１に示す表示装置の回路構成の概略を示すブロック図である。
【図３】図１に示す表示装置における最下段及びその上の段の発光部の構成を一部断面で示す図である。
【図４】図１に示す表示装置の回路構成の一部を示す図である。
【図５】従来の表示装置例を概略的に示す図である。
【図６】図５に示す装置の回路構成の概略を示すブロック図である。
【符号の説明】
【００６６】
Ａ、Ｂ  電力供給ライン
ＳＬ  信号ライン
ＰＷ  外部電源
１〜４  表示部
１１〜４１  表示部のカバー
ｍｓ  カバーの雄ねじ
ｆｓ  カバーの雌ねじ
１２〜４２  発光部
ＬＥＤ  発光部における発光ダイオード
５  蓋体
Ｂ  ベース部材
ＦＳ  ベース部材の雌ねじ部
１０〜４０  基板
２００  コネクタ
２０１  コネクタ雌部
２０２  コネクタ雄部
ａ、ｂ  電力供給ラインＡ、Ｂの一部を構成する導電体
ｃ  信号ラインＳＬの一部を構成する導電体
１０１〜１０４  基板に搭載された発光部駆動回路等を含む部分
ａ１、ｂ１、ｃ１  導体ａ、ｂ、ｃを部分１００に接続するライン
ＳＰ  表示部動作指示部
ＳＷ１〜ＳＷ５  表示部動作指示スイッチ
ＭＣ  メイン制御部
Ｃ  メイン制御部におけるコネクタ
Ｃａ、Ｃｂ  電力供給ラインＡ、Ｂの一部を構成する導電体
Ｃｃ  信号ラインＳＬの一部を構成する導電体
７１  指示信号出力部
Ｍ１  マイクロコンピュータ
ＧＰＯ  コンピュータＭ１の信号出力端子
７２  表示部動作電圧出力部
７２１  全波整流回路
７２２  平滑回路
７２３  定電圧回路
８１  発光部（発光ダイオード）駆動回路
８１１  スイッチ回路
ＴＲ  トランジスタ
８２  判別回路
Ｍ２  マイクロコンピュータ
８２１  オン動作切り替え設定部
ＳＷｘ  開閉スイッチ
８２２  ジャンパ部
Ｊ１、Ｊ２、Ｊ３  ジャンパ
【図１】
2006030739.tif 000003
【図２】
2006030739.tif 000004
【図３】
2006030739.tif 000005
【図４】
2006030739.tif 000006
【図５】
2006030739.tif 000007
【図６】
2006030739.tif 000008